(57)【要約】【課題】本発明は魚釣用スピニングリールに関し、第１，第２の逆転防止装置を装着した魚釣用スピニングリールに改良を加え、リール本体の大型化を防止しつつ、釣糸の巻取り操作から釣糸放出操作までの一連の動作を、操作部を持ち替えることなくスムーズに行うことのできる魚釣用スピニングリールを提供することを目的とする。【解決手段】リール本体の脚部に、第１の逆転防止装置による逆転防止状態と、第２の逆転防止装置による所定位置係止状態と、第１及び第２の逆転防止装置双方が非作動となるロータの正逆両方向へのフリー回転状態との３つの状態に切り換える切換え操作部材を変位可能に設けたことを特徴とする。【選択図】      図１
2004344136.tif 000002
【特許請求の範囲】
【請求項１】
脚部を有するリール本体に回転自在に支持されたロータと、
リール本体に装着したハンドルの操作で当該ロータを巻取り駆動する駆動機構と、
釣糸巻取操作時に上記ロータの釣糸繰出し方向への逆回転を防止する第１の逆転防止装置と、
前記ロータを、釣糸放出操作時に好適な所定の位置に保持する第２の逆転防止装置とを備えた魚釣用スピニングリールに於て、
リール本体の脚部に、上記第１の逆転防止装置による逆転防止状態と、第２の逆転防止装置による所定位置係止状態と、第１及び第２の逆転防止装置双方が非作動となるロータの正逆両方向へのフリー回転状態との３つの状態に切り換える切換え操作部材を変位可能に設けたことを特徴とする魚釣用スピニングリール。
【請求項２】
第１の逆転防止装置を、転がり式一方向クラッチで構成したことを特徴とする請求項１記載の魚釣用スピニングリール。
【発明の詳細な説明】
【０００１】
【発明の属する技術分野】
本発明は、ロータの逆転防止機構を備えた魚釣用スピニングリールに関する。
【０００２】
【従来の技術】
従来、魚釣用スピニングリール（以下、「スピニングリール」という）には、キャスティング時や釣糸の巻取り操作時に、ロータを巻取り駆動する駆動機構の逆転を阻止してロータの釣糸繰出し方向への回転（逆回転）を防止する逆転防止機構が装着されている。
【０００３】
尚、本明細書に於て、「正回転」とはロータの釣糸巻取り方向への回転をいい、「逆回転」とはロータの釣糸繰出し方向への回転をいう。
ところで、スピニングリールの釣糸放出操作は、ベールを起こしてスプールに巻回されている釣糸を釣竿を握持している手の人差し指で掛止し、釣竿と一緒に振り下ろす時に人差し指の掛止を解除して釣糸を放出する操作を行う。
【０００４】
このため、この一連の操作をスムーズに行うことができるように、昨今では上述した逆転防止装置（第１の逆転防止装置）に加え、釣糸放出操作時に、釣竿を握持している手の人差し指で釣糸を掛止できる所定の位置にロータを保持する第２の逆転防止装置を備えたスピニングリールが知られている（例えば、下記の特許文献１参照。）。
【０００５】
このスピニングリールは、ロータと一体回転するピニオンに第１の逆転防止装置と第２の逆転防止装置を装着すると共に、リール本体内に、リール本体後部に操作ツマミが取り付く操作杆をスプール軸と並行に前後方向へ摺動可能且つ左右方向へ回動可能に装着して、当該操作杆に、第１，第２の逆転防止装置の逆転防止爪車に夫々係合可能な係止部材を取り付けたもので、操作ツマミの左右の回動操作で、逆転防止爪車と係止部材との係合状態を切り換えて第１，第２の逆転防止装置の作動状態を切り換え、また、操作ツマミの前後方向の操作で、両逆転防止装置を同時に非作動状態に切り換えるようになっている。
【０００６】
しかし、既述したようにこのスピニングリールは、リール本体の後部に装着した単一の操作ツマミの操作で、釣糸巻取り操作時にロータの逆回転を防止する通常の逆転防止状態（第１の逆転防止装置による逆転防止状態）と、釣糸放出操作時に好適な所定の位置にロータを係止保持する所定位置係止状態（第２の逆転防止装置による所定位置係止状態）と、第１，第２の逆転防止装置双方が非作動となるロータの正逆両方向へのフリー回転状態との３つの状態に切換え保持する構成のため、リール本体のハンドルを掴んでいる手をその都度操作ツマミに持ち替えなければならず、迅速で容易な切換え操作ができず誤操作も生じ易かった。
【０００７】
而も、操作杆をリール本体の後部に延設して操作ツマミを取り付けているため、リール本体の後部が突出して釣糸が絡み易く、また、操作杆をリール本体の後部に延設して操作ツマミを取り付けた構造上、リール全体が大型化してしまう虞が指摘されていた。
【０００８】
そこで、上述の如き操作性の改善を図るため、特許文献２には釣竿装着部を有するリール本体の脚部に操作レバーを変位可能に装着し、当該操作レバーの操作で、既述した第１の逆転防止装置による通常の逆転防止状態から、第２の逆転防止装置による所定位置係止状態に切換え可能としたスピニングリールが開示されている。
【０００９】
【特許文献１】
実開昭５７−１９７８８０号公報（第１頁、第２図）
【特許文献２】
特開２００１−６９８８３号公報（段落番号「００１０」〜「００２３」、図２）
【００１０】
【発明が解決しようとする課題】
而して、上記スピニングリールによれば、釣竿を握持している手の指で操作レバーを操作することで、第１，第２の逆転防止装置の切換え操作ができる点で優れたものであるが、このスピニングリールは、依然として第１，第２の逆転防止装置の両方が非作動となるロータのフリー回転状態への切換え操作を、リール本体の後部に装着した操作ツマミで行う構成のため、ハンドルを掴んでいる手を操作ツマミに持ち替えてフリー回転状態に切換え操作しなければならず、また、部品点数が増えてコスト高となり、低価格帯のスピニングリールへの採用が困難であった。
【００１１】
また、特許文献１の従来例と同様、リール本体の後部に操作ツマミを取り付けた構造上、リール本体の後部が突出して釣糸が絡み易く、リール全体が大型化してしまう不具合は十分に解消されず、課題が残されている。
更にまた、特許文献１の従来例は、第１の逆転防止装置を逆転防止爪車（第１逆転防止爪車）と逆転防止爪（ストッパ爪部材）とで構成した構造上、逆転防止時の遊度が大きく、魚の当たりがあったときにアワセが遅れてフッキングミスが発生してしまう欠点も指摘されていた。
【００１２】
本発明は斯かる実情に鑑み案出されたもので、既述した第１，第２の逆転防止装置を装着したスピニングリールに改良を加え、リール本体の大型化を防止しつつ、釣糸の巻取り操作から釣糸放出操作までの一連の動作を、操作部を持ち替えることなくスムーズに行うことのできるスピニングリールを提供することを第１の目的とする。
【００１３】
そして、本発明の第２の目的は、第１の逆転防止装置による逆転防止時の遊度を少なくしたスピニングリールを提供することにある。
【００１４】
【課題を解決するための手段】
斯かる目的を達成するため、請求項１に係る発明は、脚部を有するリール本体に回転自在に支持されたロータと、リール本体に装着したハンドルの操作で当該ロータを巻取り駆動する駆動機構と、釣糸巻取操作時に上記ロータの釣糸繰出し方向への逆回転を防止する第１の逆転防止装置と、前記ロータを、釣糸放出操作時に好適な所定の位置に保持する第２の逆転防止装置とを備えたスピニングリールに於て、リール本体の脚部に、上記第１の逆転防止装置による逆転防止状態と、第２の逆転防止装置による所定位置係止状態と、第１及び第２の逆転防止装置双方が非作動となるロータの正逆両方向へのフリー回転状態との３つの状態に切り換える切換え操作部材を変位可能に設けたことを特徴とする。
【００１５】
そして、請求項２に係る発明は、請求項１記載のスピニングリールに於て、第１の逆転防止装置を転がり式一方向クラッチで構成したことを特徴とする。
【００１６】
（作用）
請求項１に係る発明によれば、釣竿を握持している手の指による切換え操作部材の操作によって、第１の逆転防止装置による逆転防止状態と、第２の逆転防止装置による所定位置係止状態と、第１，第２の逆転防止装置双方が非作動となってロータが正逆両方向へフリー回転可能となる３つの状態に切り換わることとなる。
【００１７】
そして、請求項２に係る発明によれば、第１の逆転防止装置を転がり式一方向クラッチを用いて構成しているため、逆転防止時の逆転遊度が小さくなってロータの逆転時に瞬時に逆転防止が図られることとなる。
【００１８】
【発明の実施の形態】
以下、本発明の実施形態を図面に基づいて詳細に説明する。
【００１９】
図１乃至図１１は請求項１及び請求項２に係るスピニングリールの一実施形態を示し、図１に於て、１は軸受３，４を介してリール本体５の前部に回転可能に支持された中空なピニオンで、その先端にロータ７がナット９で固定されている。そして、図２に示すようにピニオン１の後端側外周に設けた歯部１１に、ハンドル軸１３に固着した駆動歯車１５が噛合しており、従来と同様、ハンドル軸１３に取り付くハンドル１７の巻取り操作で、駆動歯車１５とピニオン１を介してロータ７が釣糸巻取り方向へ回転するようになっている。
【００２０】
そして、図４に示すようにロータ７には一対の支持アーム１９が形成されており、両支持アーム１９の先端に、ラインローラ２１を装着したアームレバー２３とベールホルダー２５を介して半環状のベール２７が釣糸巻取位置と釣糸放出位置に反転自在に取り付けられている。
また、図１中、２９はピニオン１を挿通するスプール軸で、スプール軸２９のロータ側突出端にスプール３１が取り付けられている。そして、スプール軸２９の後端側には、摺動子３３とトラバースカム軸３５からなる従来周知のトラバース機構３７が装着されており、ベール２７を釣糸巻取位置側へ倒してハンドル操作でロータ７を釣糸巻取り方向へ回転させると、トラバース機構３７によって前後方向へトラバース運動するスプール３１に釣糸（図示せず）が巻回され、また、ベール２７を釣糸放出位置側へ反転させて仕掛けをキャスティングすると、スプール３１に巻回された釣糸がスパイラル状に放出されるようになっている。
【００２１】
そして、本実施例に係るスピニングリール３９は、上述の如き従来と同様の構成に加え、実釣時にロータ７の釣糸繰出し方向への逆回転を防止する第１の逆転防止装置４１と、釣糸放出操作に当たりロータ７を好適な所定の位置に保持する第２の逆転防止装置４３とを具備しているが、本実施形態は、第１の逆転防止装置４１を転がり式一方向クラッチ（以下、「一方向クラッチ」という）４５で構成すると共に、両逆転防止装置４１，４３の切換え用の操作レバー（切換え操作部材）４７をリール本体５の脚部４９に設けたことを特徴とする。
【００２２】
図２及び図６は第１の逆転防止装置４１の要部拡大断面図を示し、図中、５１はスプール軸２９を中心としてリール本体５の前部に凹状に形成された断面円形形状の一方向クラッチ収納部で、その内面に沿って一方向クラッチ取付部材５３が取り付き、その中心に前記ピニオン１が挿通している。
図６に示すように一方向クラッチ４５は、一方向クラッチ取付部材５３内に装着された外輪５５と、断面非円形状のピニオン１の外周に回止め嵌合された内輪５７と、周方向へ複数個のコロ（転がり部材）５９を等間隔に保持する保持器６１と、各コロ５９を後述する楔領域に付勢する複数のリーフスプリング６３とで構成されている。
【００２３】
そして、内輪５７の外周が円形周面とされているのに対し、外輪５５の内周には、非楔領域６５としての深溝と楔領域６７としての浅溝とが周方向へ連続して形成された凹部６９がコロ５９に対応して設けられており、後述するように楔領域６７と内輪５７との間にコロ５９が食い込むと、一方向クラッチ４５は内輪５７（ピニオン１）の逆回転を阻止する逆転防止状態となり、また、非楔領域６５にコロ５９が移動すると、内輪５７（ピニオン１）が正逆両方向に回転可能となってフリー回転状態に切り換わるようになっている。
【００２４】
前記保持器６１は、環状の本体部６９と、スプール軸２９の軸方向に沿って本体部６９内に等間隔に設けられた複数の仕切部７１と後述する切換え部７２とで構成されており、その中央に設けられた挿通孔７３に内輪５７が挿通している。そして、各仕切部７１間に形成された各収容部７５に、夫々、保持器６１の径方向外方からコロ５９が保持器６１の周方向へ若干の移動スペースを開けて収容されており、当該コロ５９を常時楔領域６７方向（図６中、矢印Ａ方向）へ付勢するリーフスプリング６３が各収納部７５に装着されている。
【００２５】
そして、図２及び図６に示すように本体部６９の前端側に、外輪５５と一方向クラッチ取付部材５３に設けた切欠き７７，７９を挿通してリール本体５の上方に突出する切換え部７２が突設されている。そして、当該切換え部７２とリール本体５側のブラケット８０との間には、切換え部７２を介して保持器６１を常時矢印Ｂ方向に付勢するコイルスプリング８１が張架されており、斯様に保持器６１がコイルスプリング８１のバネ力で矢印Ｂ方向に付勢されると、図６に示すように保持器６１の仕切部７１によりコロ４９が非楔領域６５に保持されて、一方向クラッチ４５が逆転可能状態に維持され、この結果、内輪５７（ピニオン１）が正逆両方向に回転可能となる。
【００２６】
尚、図６中、８３は１８０°の間隔を空けて２つの係止片８５が径方向外方に突設されたリング状の回止めプレートで、当該係止片８５が外輪５５と一方向クラッチ取付部材５３に設けた切欠き８７，８９を夫々挿通してリール本体５の前部に設けた凹部９１に係合しており、当該回止めプレート８３によって外輪５５がリール本体５に回止め保持されている。
【００２７】
そして、一方向クラッチ４５を逆転可能状態と逆転防止状態とに切り換える操作レバー４７が、リール本体５の脚部４９に取り付けられている。
図１に示すようにリール本体５には、従来と同様、釣竿装着部９３を有する脚部４９が設けられているが、脚部４９の基部正面に設けた凹部９４内に、支軸９５を介して側面視略Ｌ字状の操作レバー４７が回動可能に取り付けられている。
【００２８】
而して、操作レバー４７の上端側には、釣竿を握持している手の指（人差し指）が引っ掛け可能な操作部９７が形成され、また、図２に示すように操作レバー４７の他端側には、リール本体５の前側下方へ側面視略く字状に折曲された押圧部材９９がビス１０１で固着されており、当該押圧部材９９には更にリール本体５内に突出する突片１０３が一体成形されている。
【００２９】
そして、押圧部材９９の後端側とリール本体５側のブラケット１０４との間に１本のコイルスプリング１０５が張架されており、釣人が操作レバー４７を操作しないとき（操作レバー４７の非作動時）、操作レバー４７は、コイルスプリング１０５のバネ力と、後述する切換え部材１２５と上記突片１０３との係合によって図１の実線で示す中立位置に位置決め保持されるようになっている。
【００３０】
また、図２及び図３に示すようにリール本体５には、先端に傾斜面１０７が形成された切換え部材１０９が挿通する挿通孔１１１がスプール軸２９に沿って設けられている。そして、切換え部材１０９の後端側上面には、挿通孔１１１の内周に設けた係止片１１３が係合する案内溝１１５が切換え部材１０９の長手方向に設けられており、斯様に係止片１１３が案内溝１１５に係合することで、切換え部材１０９が回止めされてリール本体５の前後方向へスライドできるようになっている。
【００３１】
一方、図２，図３に示すように上記傾斜面１０７に対応して切換え部７２の先端側には透孔１１７が開口しており、操作レバー４７が図１の実線で示す中立位置に保持されているとき、押圧部材９９の先端部１１９が切換え部材１０９の後端部１２１に当接すると共に、傾斜面１０７が透孔１１７の一周縁部１２３に当接している。そして、この状態にあるとき、図６で既述したように保持器６１がコイルスプリング８１のバネ力で矢印Ｂ方向に付勢され、コロ４９が非楔領域６５に保持されて一方向クラッチ４５、即ち、第１の逆転防止装置４１が逆転可能状態に維持されている。
【００３２】
そして、釣竿を握り込む手の指で、図１に示すように操作レバー４７をコイルスプリング１０５のバネ力に抗して矢印Ｃ方向へ握り込むことで、図７及び図８に示すように支軸９５を中心に回動する操作レバー４７の後端部に固着された押圧部材９９が、切換え部材１０９を前方（図７中、矢印Ｄ方向）へ移動させるようになっている。
【００３３】
而して、斯様に切換え部材１０９が矢印Ｄ方向に移動すると、図８及び図９に示すように切換え部材１０９先端の傾斜面１０７が、コイルスプリング８１のバネ力に抗して切換え部７２を反時計回り方向（図中、矢印Ｅ方向）に移動させるようになっており、斯様に切換え部７２が矢印Ｅ方向に移動すると、保持器６１がコイルスプリング８１のバネ力に抗して同方向に移動するため、リーフスプリング６３のバネ力で楔領域６７と内輪５７との間にコロ５９が食い込んで、一方向クラッチ４５が内輪５７（ピニオン１）の逆回転を阻止する逆転防止状態に切り換わるようになっている。
【００３４】
また、操作レバー４７は図１の実線で示す中立位置から矢印Ｆ方向へ押し下げることができるようになっており、斯様に操作レバー４７を矢印Ｆ方向へ押し下げると、図１０及び図１１に示すように押圧部材９９の先端部１１９が切換え部材１０９の後端部１２１から離間するため、一方向クラッチ４５は図６で既述した逆転可能状態が継続するが、後述するように操作レバー４７は、切換え部材１２５とブラケット１０４との間に張架された振分けバネ１２７によって、図１の一点鎖線で示す位置に位置決め保持されるようになっている。
【００３５】
次に、第２の逆転防止装置４３の構成について説明する。
図２，図４及び図５に示すように軸受３に隣接してピニオン１の外周には、１個の歯１２９が外周に形成された爪車１３１が回止め係合されると共に、当該歯１２９に爪先１３３が係脱可能な逆転防止爪１３５がリール本体５のボス１３７に回動可能に軸支されている。そして、この逆転防止爪１３５は、ボス１３７に巻装されて一端側がリール本体５に当接し、他端側が当該逆転防止爪１３５に係止するねじりコイルバネ１３９でバネ付勢されて、爪先１３３が常時爪車１３１の外周に圧接している。そして、当該爪先１３３が爪車１３１の歯１２９に係止したとき、ロータ７が釣糸放出操作に当たり好適な所定の位置、即ち、図４に示すようにラインローラ２１が上方に位置するようになっている。
【００３６】
そして、図２に示すように逆転防止爪１３５に隣接して切換え部材１２５がリール本体５に設けたボス１４１に軸支されている。
切換え部材１２５は、断面円弧カム形状に成形された切換え部材本体１４３と、当該切換え部材本体１４３から前側上方に突設された突片１４５と、切換え部材本体１４３から斜め後方に延設された延設部１４７とで構成されており、当該延設部１４７とブラケット１０４との間に既述した付勢バネ１２７が張架されている。
【００３７】
そして、操作レバー４７が図１の実線で示す中立位置にあるとき、切換え部材１２５は図２の状態に位置決め保持されており、突片１０３が切換え部材１２５の延設部１４７に圧接して、コイルスプリング１０５による操作レバー４７の矢印Ｆ方向への移動が規制され、また、上記突片１４５がリール本体５側の突当て部１４９に当接して、図２の状態からの切換え部材１２５の矢印Ｇ方向への回転が規制されている。そして、斯かる状態で、切換え部材１２５は爪車１３１の歯１２９に係止する逆転防止爪１３５の後端側に当接している。
【００３８】
従って、操作レバー４７が図１の実線で示す中立位置にあるとき、既述したように一方向クラッチ４５が逆転可能状態に維持されて、第１の逆転防止装置４１は非作動状態にあるため、第２の逆転防止装置４３のみが作動状態にある。
また、既述したように操作レバー４７を図１の矢印Ｃ方向に操作すると、第１の逆転防止装置４１は逆転防止状態に切り換わるが、このとき、図７に示すように突片１０３が切換え部材１２５の延設部１４７から離間するものの、切換え部材１２５は何ら作動しないため、第２の逆転防止装置４３は依然として作動状態にある。
【００３９】
一方、操作レバー４７を図１の中立位置から矢印Ｆ方向に操作すると、図２の如く延設部１４７に圧接する突片１０３が、振分けバネ１２７のバネ力に抗して切換え部材１２５をボス１４１を中心に矢印Ｈ方向へ回転させるようになっている。
そして、斯様に切換え部材１２５が矢印Ｈ方向へ回転して振分けバネ１２７のデッドポイントを越えると、切換え部材１２５は振分けバネ１２７によって図１０の位置に振分け保持され、これに伴い切換え部材本体１４３が、図１０に示すようにねじりコイルバネ１３９のバネ力に抗して逆転防止爪１３５の後端側を押し下げて、爪車１３１の歯１２９と逆転防止爪１３５の爪先１３３との係止状態を解除するようになっている。そして、上述したように切換え部材１２５は振分けバネ１２７によって図１０の位置に振分け保持されているから、爪車１３１と逆転防止爪１３５との係止解除状態が継続される。
【００４０】
また、このとき、切換え部材１２５の突片１４５が前記突片１０３に当接して、操作レバー４７が図１の一点鎖線で示す位置に位置決め保持されるようになっている。
従って、操作レバー４７が矢印Ｆ方向に操作されると、第１の逆転防止装置４１と第２の逆転防止装置４３の双方が非作動となって、ロータ７が正逆両方向へ回転可能に切り換わることとなる。
【００４１】
そして、操作レバー４７を図１の一点鎖線で示す位置から実線で示す中立位置に戻すと、図１０に示すように前記突片１０３が突片１４５を介して操作部材１２５を矢印Ｇ方向に回転させる。そして、斯様に切換え部材１２５が矢印Ｇ方向へ回転して振分けバネ１２７のデッドポイントを越えると、切換え部材１２５は振分けバネ１２７によって図２の位置に復帰し、逆転防止爪１３５がねじりコイルバネ１３９の復元力で爪車１３１の外周に当接するようになっている。
【００４２】
従って、ハンドル操作でロータ７を釣糸巻取り方向に回転させると、爪車１３１が回転してその歯１２９に逆転防止爪１３５の爪先１３３が係止し、図４に示すようにラインローラ２１が上方に位置するようになっている。
このように、操作レバー４７を図１の一点鎖線で示す位置から実線で示す中立位置に戻すと、第２の逆転防止装置４３が再び作動状態に切り換わるようになっている。
【００４３】
その他、図４に於て、１５１はリール本体５の一側開口に取り付く蓋体である。
本実施形態はこのように構成されているから、ベール２７を釣糸巻取位置側へ倒してハンドル操作でロータ７を釣糸巻取り方向へ回転させると、リール本体５の前後方向へトラバース運動するスプール３１に釣糸が巻回され、また、ベール２７を釣糸放出位置へ反転して仕掛けを投擲すると、スプール３１に巻回された釣糸がスパイラル状に放出されるが、釣糸放出操作時に操作レバー４７を図１の実線で示す中立位置にしておくと、既述したように第２の逆転防止装置４３のみが作動状態にあるから、ハンドル１７の操作で爪車１３１が回転して図４及び図５の如く逆転防止爪１３５の爪先１３３が爪車１３１の歯１２９に係止し、ロータ７が釣糸放出操作に当たって好適な所定の位置、即ち、ラインローラ２１が上方に位置した状態でロータ７が位置決め保持される。
【００４４】
また、釣竿を握り込む手の指で操作レバー４７を同時に握り込んで、図１の如く操作レバー４７を矢印Ｃ方向へ操作すると、図７及び図８に示すように操作レバー４７の後端部に固着された押圧部材９９が切換え部材１０９を矢印Ｄ方向へ移動させるため、図８及び図９の如く切換え部材１０９先端の傾斜面１１７が、コイルスプリング８１のバネ力に抗して切換え部７２を矢印Ｅ方向に移動させる。そして、斯様に切換え部７２が矢印Ｅ方向に移動すると、保持器６１がコイルスプリング８１のバネ力に抗して同方向に移動するため、リーフスプリング６３のバネ力で楔領域６７と内輪５７との間にコロ５９が食い込んで、一方向クラッチ４５がロータ７の逆回転を阻止する逆転防止状態に切り換わる。
【００４５】
そして、このとき、第２の逆転防止装置４３は依然として作動状態にある。
従って、第１の逆転防止装置４１による一方向クラッチ４５の楔作用によって、ロータ７の釣糸繰出し方向への逆回転が阻止される。そして、第１の逆転防止装置４１は一方向クラッチ４５を用いて構成されているため、ロータ７の逆転時に瞬時に逆転防止を図ることが可能となってアワセ時のフッキングミスが減少することとなる。
【００４６】
一方、図１の実線で示す中立位置にある操作レバー４７を矢印Ｆ方向へ押し下げれば、既述したように第１の逆転防止装置４１と第２の逆転防止装置４３の双方が非作動となって、ロータ７の正逆両方向へのフリー回転状態に切り換わることとなる。
そして、斯様に操作レバー４７が矢印Ｆ方向に操作されると、既述したように付勢バネ１２７によって操作レバー４７は図１の一点鎖線で示す位置に位置決め保持され、また、斯かる状態から操作レバー４７を図１の実線で示す中立位置に操作すれば、第２の逆転防止装置４３が作動状態に復帰する。
【００４７】
このように本実施形態によれば、脚部４９に設けた操作レバー４７のみの操作で、第１の逆転防止装置４１によるロータ７の逆転防止状態と、第２の逆転防止装置４３によるロータ７の所定位置係止状態と、第１，第２の逆転防止装置４１，４３双方が非作動となってロータ７が正逆両方向へフリー回転可能となる３つの状態に切り換えることができるので、各操作状態への切換え時に、釣竿を握持している手やハンドル１７を掴んでいる手を離したり持ち替えることなく、釣竿を握持した状態を維持し乍ら、無理なく迅速且つ容易にロータ７の逆転防止状態の切換え操作ができることとなった。
【００４８】
而も、実釣時には握り込む力が釣竿に作用しているが、本実施形態は、釣竿を握り込んでいる手の指で操作レバー４７を同時に握り込めるようにすると共に、斯様に操作レバー４７を同時に握り込むことで第１の逆転防止装置４１が作動するようにしたため、操作性に優れ且つ実釣に即した利点を有する。
【００４９】
即ち、実釣時に釣竿を握った状態でハンドル１７を巻取り操作する際には、ロータ７が逆転防止状態にないとドラグがスムーズに機能せず、スプール３１をドラグで逆転方向に制動回転させることが困難となるので、ドラグをスムーズに作動させるために第１の逆転防止装置４１が作動してロータ７が逆転防止状態にあることが好ましい。
【００５０】
而して、本実施形態によれば、釣竿を握り込む力を利用して操作レバー４７を同時に握り込むことでロータ７が逆転防止状態になり、また、釣糸をピックアップするために操作レバー４７を握り込む手の指を離して操作レバー４７への操作力を解除すれば、第２の逆転防止装置４３の作動状態に切り換わってロータ７が所定の位置に保持されるため、釣糸巻取り操作から釣糸放出操作までの一連の動作をスムーズに行うことが可能となり、この結果、手返しが速くなり数多くのキャスティングが可能となって釣果が増す利点を有する。
【００５１】
また、本実施形態は、図１の実線で示す中立位置に操作レバー４７があるとき、通常の第２の逆転防止装置と同様の作動状態にあり、第１の逆転防止装置４１を作動させる操作または両逆転防止装置４１，４３の解除操作が必要なときにのみ操作レバー４７を動作させればよいため、従来のスピニングリールから交換する際に違和感なく使用することができる。
【００５２】
そして、本実施形態は、第１の逆転防止装置４１を一方向クラッチ４５を用いて構成したため、逆転防止時の逆転遊度が小さくなってアワセ時のフッキングミスが減少する利点を有する。
尚、上記実施形態では、操作レバー４７が図１の実線で示す中立位置にあるとき、第２の逆転防止装置４３のみが作動状態にあり、操作レバー４５を図１の矢印Ｃ方向へ操作すると、第１の逆転防止装置４１によるロータ７の逆転防止状態となり、操作レバー４５を図１の矢印Ｆ方向へ操作すると、第１及び第２の逆転防止装置４１，４３双方が非作動となってロータ７が正逆両方向へ回転可能となるように構成したが、操作レバー４７の位置による第１，第２の逆転防止装置４１，４３の作動状態の態様は上記実施形態に限定されるものではなく、例えば操作レバー４７が図１の実線で示す中立位置にあるとき、第１の逆転防止装置４１が作動状態にあり、操作レバー４５を図１の矢印Ｃ方向へ操作すると第１及び第２の逆転防止装置４１，４３双方が非作動となってロータ７が正逆両方向へ回転可能となり、操作レバー４５を図１の矢印Ｆ方向へ操作すると第２の逆転防止装置４３のみが作動状態に切り換わるように構成してもよい。
【００５３】
つまり、本発明に於て、操作レバーの操作状態の変更（図１中、矢印Ｃ方向への操作レバーの牽引時，実線で示す操作レバーの中立時，矢印Ｆ方向への操作レバーの押圧時）に対応した第１，第２の逆転防止装置の作動形態（第１及び第２の逆転防止装置の双方が作動する状態，第２の逆転防止装置のみが作動する状態，両逆転防止装置が同時に非作動となる状態）はどのように設定してもよく、使用形態に合わせて適宜変更することが可能である。
【００５４】
また、操作レバーの３段階の位置決め手段にあっても、上記実施形態（操作レバーの非操作時に中立位置，操作力を加えての牽引操作後に操作力解除で中立位置に自動復帰，押圧操作で節度を持たせてレバー位置を押圧状態に維持し、牽引操作を行うことで押圧状態解除）に限定されるものではなく、例えば３つの段階の総てに節度を持たせて切り換える構成や、牽引操作と押圧操作とが上記実施形態と異なる別の構成となっても本発明の目的が達成できることはいうまでもない。
【００５５】
また、上記実施形態では、逆転防止時の逆転遊度を小さくするため、第１の逆転防止装置４１を一方向クラッチ４５で構成したが、既述した特許文献１の従来例の如くラチェットを用いてもよいことは勿論である。
更にまた、上記実施形態では、内輪外周面を円筒形状とし、外輪内周面に楔領域を形成したが、内輪外周面に楔領域を形成し、外輪内周面を円筒形状としても本発明の目的が達成できることはいうまでもない。
【００５６】
図１２は請求項１及び請求項２に係る発明の他の実施形態を示し、本実施形態に係るスピニングリール３９−１は、既述した操作レバー４７に代え、実釣時に釣竿を握り込んでいる手の指（中指）で操作レバー４７−１を握り易くするため、操作レバー４７−１を釣竿装着部９３方向へ延設して、牽引部１５３を当該釣竿装着部９３に沿って前方に突設すると共に、操作レバー４７−１の押圧操作を行い易くするため、当該牽引部１５３から所定の間隔を空けてその下部に下方押圧部１５５を前方に突設したものである。
【００５７】
そして、その他の構成は図１の実施形態と同様であるので、同一のものには同一符号を付してそれらの説明は省略する。
而して、本実施形態によれば、前記実施形態と同様、所期の目的を達成することが可能であるが、斯様に牽引部１５３と下方押圧部１５５を操作レバー４７−１に設けたことで操作性が更に向上すると共に、リール本体５前方への操作レバー４７−１の突出量を抑えてスピニングリール３９−１全体のコンパクト化が図れる利点を有する。
【００５８】
尚、既述した各実施形態の操作レバー４７，４７−１に代え、近接配置された複数のレバーで切換え操作部材を構成してもよい。
【００５９】
【発明の効果】
以上述べたように、請求項１に係る発明によれば、リール本体の脚部に設けた切換え操作部材の操作で、第１の逆転防止装置によるロータの逆転防止状態と、第２の逆転防止装置によるロータの所定位置係止状態と、第１，第２の逆転防止装置双方が非作動となってロータが正逆両方向へフリー回転可能となる３つの状態に切り換えることができるので、各操作状態への切換え時に、釣竿を握持している手やハンドルを掴んでいる手を離したり持ち替えることなく、釣竿を握持した状態を維持し乍ら、無理なく迅速且つ容易にロータの逆転防止状態の切換え操作ができることとなった。
【００６０】
そして、斯様に３つの状態の切換え操作を切換え操作部材のみで行うことができるため、釣糸巻取り操作から釣糸放出操作までの一連の動作をスムーズに行うことが可能となり、この結果、手返しが速くなり、数多くのキャスティングが可能となって釣果が増す利点を有する。
また、請求項２に係る発明は、第１の逆転防止装置を一方向クラッチを用いて構成したため、逆転防止時の逆転遊度が小さくなってアワセ時のフッキングミスが減少する等の利点を有する。
【図面の簡単な説明】
【図１】請求項１及び請求項２の一実施形態に係るスピニングリールの要部切欠き正面図である。
【図２】第１，第２の逆転防止装置の要部拡大断面図である。
【図３】第１の逆転防止装置の切換え機構の要部拡大断面図である。
【図４】第２の逆転防止装置の断面図である。
【図５】第２の逆転防止装置の要部拡大断面図である。
【図６】第１の逆転防止装置の要部拡大断面図である。
【図７】第１，第２の逆転防止装置の要部拡大断面図である。
【図８】第１の逆転防止装置の切換え機構の要部拡大断面図である。
【図９】第１の逆転防止装置の要部拡大断面図である。
【図１０】第１，第２の逆転防止装置の要部拡大断面図である。
【図１１】第１の逆転防止装置の切換え機構の要部拡大断面図である。
【図１２】請求項１及び請求項２の他の実施形態に係るスピニングリールの要部切欠き正面図である。
【符号の説明】
１  ピニオン
５  リール本体
７  ロータ
１３  ハンドル軸
１５  駆動歯車
１７  ハンドル
２７  ベール
２９  スプール軸
３１  スプール
３７  トラバース機構
３９，３９−１  スピニングリール
４１  第１の逆転防止装置
４３  第２の逆転防止装置
４５  一方向クラッチ
４７，４７−１  操作レバー
４９  脚部
５５  外輪
５７  内輪
５９  コロ
６１  保持器
６３  リーフスプリング
６５  非楔領域
６７  楔領域
７２  切換え部
８１，１０５  コイルスプリング
９３  釣竿装着部
９７  操作部
９９  押圧部材
１０３，１４５  突片
１０７  傾斜面
１０９，１２５  切換え部材
１１９  押圧部材の先端部
１２７  振分けバネ
１２９  歯
１３１  爪車
１３３  爪先
１３５  逆転防止爪
１３９  ねじりコイルバネ
１４３  切換え部材本体
１４７  延設部
１４９  突当て部
１５１  蓋体
１５３  牽引部
１５５  下方押圧部
【図１】
2004344136.tif 000003
【図２】
2004344136.tif 000004
【図３】
2004344136.tif 000005
【図４】
2004344136.tif 000006
【図５】
2004344136.tif 000007
【図６】
2004344136.tif 000008
【図７】
2004344136.tif 000009
【図８】
2004344136.tif 000010
【図９】
2004344136.tif 000011
【図１０】
2004344136.tif 000012
【図１１】
2004344136.tif 000013
【図１２】
2004344136.tif 000014